Podtech/llm-jp-corpus-v4-ja_patent huggingface dataset:
(57)【要約】【課題】  トラックの平ボディのサイドゲートは長くて重いので、下ろす時は良いがそれを持ち上げて閉じるのが大変である。【解決手段】  ヒンジの軸にトーションバーを用いて組み立てた蝶番を作ったことで解決する。【選択図】  図１
2009133086.tif 000002
【特許請求の範囲】
【請求項１】
蝶番の回転軸にトーションバースプリングを用いて組み立てたトーションバーヒンジ
【発明の詳細な説明】
【技術分野】
【０００１】
本発明は主にトラックの三方開き平ボディに用いる、又物置等の重い蓋の蝶番に用いる。
【背景技術】
【０００２】
トラックの三方開きのサイドゲートは長くて大きい為どうしても重くなりがちである、又錠を開けてゲートを一気に煽ると危険であるが、平ボディは三方から荷を積み下ろしが出来るため便利な装備である。
【０００３】
本発明は、トラックの荷台用のゲート以外には屋外に設置した、物置やごみ箱の上蓋に用いると蓋を軽くすることができる。
【０００４】
現在、ワンハンドゲート又はセイコー・ラック(メーカーによって名称が異なる)と言う、コイルスプリングとアームを用いたゲートを軽くする装置がある、それに対して本発明はトーションバースプリングを用いてコンパクトに、荷台に装着できるのが特長である。
【発明の開示】
【発明が解決しようとする課題】
【０００５】
トラックの平ボディの煽りゲートは補助スプリングを用いないものは皆重い,特に大型車のリア・ゲートには殆ど装着されていないことが問題である。
【０００６】
もう一つの問題点は、従来のように蝶番を取り付け、そのあと補助スプリングを取り付けるため二重手間になる、本発明はヒンジの軸がトーションバー(捩りバネ)と兼用しているため、一体化しており余分な手間をはぶくことができる。
【０００７】
トーションバーをヒンジの軸に持った蝶番を作ることで解決した。
【発明の効果】
【０００８】
今は人件費の高騰で助手を使わないで、ドライバー一人で荷物の集配を行うので肉体な疲労が大きい、それをカバーするとともに仕事をする上での安全を高めた。
【発明を実施するための最良の形態】
【０００９】
トーションバーヒンジの厚さがゲートの厚さ内に収まることが最良の形態でる。
【実施例１】
【００１０】
トラックの荷台の平ボディ6に両サイドゲート7を取り付け、又後ろにはリアゲート8を平ボディ6に取り付けた構造、図1、図2に示す。
【実施例２】
【００１１】
前記のボディ6とゲート7を繋ぐ部品が本発明のトーションバーヒンジである、トーションバーを横長に使用したところを説明すると、貫通金具3をトーションバー1の両端に通して取り付け、そしてストッパー金具2をトーションバー1のもっと両端に取り付けて組み立てた構造である。
【実施例３】
【００１２】
トーションバー1の両端は多角形の1―Aのように加工しており、それに合う穴を設けたストッパー金具2をかみ合せて組み立てる、又貫通金具3の中にトーションバー１を通してもトーションバー1の動きを妨げない。
【実施例４】
【００１３】
ストッパー金具2の一端を平ボディ6に取り付け、そのもう一方の端をサイドゲー7に取り付けて完成する、なおサイドゲート7を開けた状態ではトーションバー1に捩じれの力が加わり、そして捩られたトーションバー1の反力を利用して、ゲートを閉じるときにゲート自体が軽くなる。
【実施例５】
【００１４】
トーションバー1を傷つけないため硬質プラスチック4を貫通金具3との間にかませて組み立てる、又トーションバーの大きさ強さ長さによって貫通金具3をストッパー金具2の間に複数設けてゲートの重さに対処する。
【産業上の利用可能性】
【００１５】
主にトラックの平ボディとゲートの連結の時に使用しますが、その外にも重い蓋の蝶番に使って蓋を軽くする、又コイルスプリングを使った小物の蓋や扉に、トーションバースプリングに置き換えて、広い分野に本発明を利用できる。
【図面の簡単な説明】
【００１６】
【図１】サイドゲートが半開きになった状態を示す見取り図。
【図２】サイドゲート側から見た正面図。
【図３】平ボディにゲートを取り付けた状態を示す断面図。
【図４】横長のトーションバーを示す正面図。
【図５】貫通金具の二方向から見た正面図。
【図６】ストッパー金具の二方向から見た正面図。
【図７】トーションバーヒンジを拡大した見取り図。
【符号の説明】
【００１７】
1、  トーションバー
2、  ストッパー金具
3、  貫通金具
4、  スペーサー
5、  ボルト
6、  平ボディ
7、  サイドゲート
8、  リアゲート
9、  蝶番
10、座金
【図１】
2009133086.tif 000003
【図２】
2009133086.tif 000004
【図３】
2009133086.tif 000005
【図４】
2009133086.tif 000006
【図５】
2009133086.tif 000007
【図６】
2009133086.tif 000008
【図７】
2009133086.tif 000009
(57)【要約】    【課題】  装置内部への外気の水蒸気・水分の侵入を有効に防止して腐食を防止することのできる角度検出器を提供すること。    【解決手段】  角度検出器１の筐体２上にブリーザ３を設ける。ブリーザ３は、気体は通すが水分は通さない構造を有するため、角度検出器１内部に水蒸気や水分を侵入させない。ブリーザ３を設ける位置は、筐体上であれば特に限定されない。ブリーザ３としては多孔質ＰＴＦＥ（ポリテトラフルオロエチレン）製の膜を用いることができる。【選択図】  図１
2009133646.tif 000002
【特許請求の範囲】
【請求項１】
筐体にブリーザを設けたことを特徴とする、角度検出器。
【請求項２】
前記ブリーザは、多孔質ＰＴＦＥ（ポリテトラフルオロエチレン）製の膜であることを特徴とする、請求項１に記載の角度検出器。
【発明の詳細な説明】
【技術分野】
【０００１】
本発明は角度検出器に係り、特に、装置内部への外気中の水分や水蒸気の侵入を有効に防止することのできる、角度検出器に関するものである。
【背景技術】
【０００２】
レゾルバ等の角度検出器は、広範な産業分野において利用されており、たとえば車両その他の輸送用機械等における利用では、温度変化の大きい環境であっても高い精度の検出機能が求められる。
【０００３】
他方、従来、車両用ギヤボックスやスロットル弁制御装置等においては、大気中の汚染物質と水分との分別などを目的として、ブリーザを設ける技術が、既に開示されている（特許文献）。
【０００４】
【特許文献１】特開２００３−２６９５８３号公報「車両用ギヤボックスのブリーザ構造」
【特許文献２】特開平０６−１２９２６７号公報「スロットル弁制御装置」
【発明の開示】
【発明が解決しようとする課題】
【０００５】
さて、上述のように温度変化の大きい環境において角度検出器を用いる場合、検出器内部に外気が侵入する、いわゆる呼吸作用が発生し、このとき外気中の水蒸気も当然ながら侵入するため、外気の湿度も結局、検出器内部に侵入することとなる。かかる湿度の上昇、水蒸気の侵入は腐食の原因となり、特に高い精度の求められる角度検出器においては問題が大きかった。
【０００６】
そこで本発明が解決しようとする課題は、装置内部への外気中の水蒸気や水分の侵入を有効に防止することのできる角度検出器を提供することである。
【課題を解決するための手段】
【０００７】
本願発明者は上記課題について検討した結果、ブリーザを用いることによって上記課題の解決が可能であることを見出し、本発明に至った。すなわち、上記課題を解決するための手段として本願で特許請求される発明、もしくは少なくとも開示される発明は、以下の通りである。
【０００８】
（１）  筐体にブリーザを設けたことを特徴とする、角度検出器。
（２）  前記ブリーザは、多孔質ＰＴＦＥ（ポリテトラフルオロエチレン）製の膜であることを特徴とする、（１）に記載の角度検出器。
【発明の効果】
【０００９】
本発明の角度検出器はかかる構成であるため、内部への水蒸気や水分の侵入、湿度の上昇を有効に防止することができ、それにより腐食を防止することができる。
【発明を実施するための最良の形態】
【００１０】
以下、本発明を図面により説明する。
図１は本発明のブリーザ付角度検出器の構成を示す断面図である。図示されるように本角度検出器１は、その筐体２にブリーザ３を設けたことを主たる構成とする。
【００１１】
ブリーザ３は、気体は通すが水分は通さない構造を有するため、呼吸作用が発生しても、角度検出器１内部に水蒸気や水分を侵入させない。したがって、内部の腐食は有効に防止される。
【００１２】
ブリーザ３を設ける位置は、図では、筐体側面部の軸方向中央寄りとしているが、筐体上であれば特に限定されない。
【００１３】
また、ブリーザ３としては多孔質ＰＴＦＥ（ポリテトラフルオロエチレン）製の膜を用いることができるが、たとえばゴアテックス（登録商標）は好適に用いることのできる一例である。
【産業上の利用可能性】
【００１４】
本発明の角度検出器によれば、内部への水蒸気や水分の侵入および湿度の上昇の有効な防止、腐食発生防止が可能である。したがって、レゾルバ等の高い精度の要求される角度検出器の性能維持に大いに有効であり、関連産業分野において利用価値が高い発明である。
【図面の簡単な説明】
【００１５】
【図１】本発明のブリーザ付角度検出器の構成を示す断面図である。
【符号の説明】
【００１６】
１…角度検出器
２…筐体
３…ブリーザ
【図１】
2009133646.tif 000003
(57)【要約】【課題】液体燃料貯蔵タンク内の燃料を、セラミックを内蔵装備装着した容器内を何回も循環させる、セラミック内蔵液体燃料水質改良濾過装置を提供する。【解決手段】液体燃料貯蔵タンク内にある液体燃料を、セラミックを内蔵した容器を設け、その容器内を燃料が通過、エンジンが駆動燃焼し、余分な燃料をバイパス管を設け、そのバイパスもどり管途中にセラミック内蔵容器を設け、容器内を燃料が通過、タンク内へ入る。液体燃料を何回も循環させることを特徴とした、セラミック内蔵液体燃料水質改良濾過装置である。【選択図】図１
2009133596.tif 000002
【特許請求の範囲】
【請求項１】
液体燃料を動力源とする車両、船舶、重機、ボイラー、機械、航空機、ガソリンスタンド等の、液体燃料貯蔵タンク内の燃料を、バイパス管内にセラミックを内蔵した容器内を液体燃料が通過。何回も循環させた燃料を使用することにより、液体燃料消費量、排気ガス等が軽減される、セラミック内蔵液体燃料水質改良濾過装置である。
また、魚介類、うなぎ等の養殖場、養豚場、農場、ビル、学校など、水を必要とする、あらゆる場所に共通する水道管の入口側、出口側の途中に、セラミックを内蔵した容器内を水が通過、バイパス管にて何回も循環させた水を使用することで、水質が改良される。
【発明の詳細な説明】
【技術分野】
【０００１】本発明は、液体燃料を動力源とする車輌、重機、船舶、ボイラー、航空機、ガソリンスタンド等の燃料消費量、排気ガスを軽減するために、セラミックを内蔵した容器を装着した容器内を液体燃料を通過させる構造の装置に関するものである。
【背景技術】
【０００２】従来は、液体燃料を動力源とし、燃料貯蔵タンク内よりエンジンへ供給され、エンジンを駆動させていた。
【発明の開示】
【発明が解決しようとする課題】
【０００３】そのために、次のような問題点があった。
（イ）従来は、液体燃料を動力源とする車輌、重機、船舶、ボイラー、航空機、ガソリンスタンド等は、液体燃料貯蔵タンク内より各車輌等へ供給され、エンジンを駆動させていた。
そこには、何ら液体燃料に変化がなく、燃料消費量、排気ガスを改良させることができなかった。
（ロ）本発明は、以上の問題点を解決するためになされたものである。
【課題を解決するための手段】
【０００４】液体燃料貯蔵タンク内の燃料を、バイパス管を装着したセラミックを内蔵した、セラミック内蔵容器を装着した容器内を何回も通過濾過させる。液体貯蔵タンクとエンジンとバイパス管、セラミック内蔵容器が一体となることで、燃料消費量、排気ガス等が軽減改良する、セラミック内蔵液体燃料水質改良濾過装置である。
【発明の効果】
【０００５】本発明は、液体燃料を動力源とする車輌、重機、船舶、機械、ボイラー、航空機、ガソリンスタンド等の燃料貯蔵タンク内の燃料を、セラミックを内蔵した容器内を通過することで燃料が改良され、燃料消費量、排気ガス等を軽減する。
【発明を実施するための最良の形態】
【０００６】（イ）液体燃料貯蔵タンク（１）内の液体燃料（２）を貯蔵タンク内の吸引口（３）より、ポンプ（４）にて燃料流動管（５）内へ送り、セラミック（６）を内蔵装着したセラミック内蔵容器（７）内を通過、エンジン（８）へ入り、燃焼駆動する。
（ロ）燃焼駆動した余分な液体燃料（２）は、バイパス管（９）に入り、バイパスもどり管（１０）内よりセラミック（６）を内蔵装着した、セラミック内蔵容器（７）内を通過する。
（ハ）通過した液体燃料（２）は液体燃料貯蔵タンク（１）の吐出口へ、吐出口手前の貯蔵タンク内にセラミック（６）を内蔵したセラミック内蔵容器（７）を通過、吐出（１１）される。
（ニ）このセラミック（６）を内臓したセラミック内蔵容器（７）を何回も通過、循環させる。本発明は、バイパス管にセラミック（６）を内蔵したセラミック内蔵容器（７）内を何ヶ所にも装備装着し、その中を循環させる構造を特徴としたものである。
（ホ）また、構造等は工場、学校、ビル、家庭、農業用水、池、農業、家畜業、養殖業等の水を使用、必要としているあらゆる分野において、セラミック（６）を内蔵したセラミック内蔵容器（７）を装備装着した容器内を通過、バイパス管内を循環させた水を使用することにより、水質が改良される。
［実施例１］にて説明する。
【実施例１】（イ）養殖業において、魚介類、うなぎ等の養殖池（１）の養殖水（２）を排水傾斜口（３）よりポンプ（４）でバイパスもどり管（５）へ入り、セラミック（６）を内蔵装着したセラミック内蔵容器（７）を通過。吐出される手前に、セラミック（６）を内蔵したセラミック内蔵容器（７）を設置装着した中を通過吐水（８）される。
（ロ）また、給水管（９）内の途中にセラミック（６）を内蔵したセラミック内蔵容器（７）内を通過され、養殖池内へ吐水される。
（ハ）養殖池（１）内の水をバイパスもどり管にて循環させる。また給水管（９）にセラミック（６）を内蔵した容器（７）内を通過させることで、魚介類、うなぎ等の生物の活力水に改良される。
この構造の説明は、図３、図４にて表す。
【図面の簡単な説明】
【０００７】
【図１】  本発明の側面図
【図２】  本発明の平面図
【図３】  本発明の養殖業の実施例の側面図
【図４】  本発明の養殖業の実施例の平面図
【符号の説明】
【０００８】  １．液体燃料貯蔵タンク
２．液体燃料
３．吸引口
４．ポンプ
５．燃料流動管
６．セラミック
７．セラミック内蔵容器
８．エンジン
９．バイパス管
１０．バイパスもどり管
１１．吐出口
【図１】
2009133596.tif 000003
【図２】
2009133596.tif 000004
【図３】
2009133596.tif 000005
【図４】
2009133596.tif 000006
(57)【要約】      （修正有）【課題】生ごみを冷凍して衛生的に保存する為の冷凍室を設ける生ごみ保存用冷凍室付冷蔵庫を提供する。【解決手段】冷蔵庫にレールをスライドさせて開閉させる引出し式の冷凍室を設け、内側に脱着可能なバスケットを内蔵し、生ごみを冷凍して衛生的に保存する。【選択図】図１
2009133597.tif 000002
【特許請求の範囲】
【請求項１】
冷蔵庫にレールをスライドさせて開閉させる引出し式の冷凍室を設け、内側に脱着可能なバスケットを内蔵し、生ごみを冷凍して衛生的に保存することを特徴とする生ごみ保存用冷凍室付冷蔵庫。
【発明の詳細な説明】
【技術分野】
【０００１】  本発明は、冷蔵庫に生ごみを冷凍して衛生的に保存する為の冷凍室を設ける、生ごみ保存用冷凍室付冷蔵庫に関するものである。
【背景技術】
【０００２】  従来、家庭の生ごみは燃やせるごみの回収日までごみ箱に保存するか、生ごみ処理機を利用するか、ディスポーザを設置するなどの方法をとっている。
【発明の開示】
【発明が解決しようとする課題】
【０００３】  そのために、次のような問題点があった。
（イ）ごみの分別化により、可燃ごみとして生ごみを出せる日が少なくなり、部屋の温度が上昇すると悪臭やコバエなどの害虫が発生したり、カビや菌の繁殖などで不衛生であった。
（ロ）生ごみ処理機やディスポーザの設置は費用がかかる上、騒音の発生、設置場所をとる、メンテナンスが大変などの問題があった。
本発明は、以上の問題点を解決するためになされたものである。
【課題を解決するための手段】
【０００４】  冷蔵庫にレールをスライドさせて開閉できる引出し式の冷凍室を設け、内側に脱着可能なバスケットを内蔵させる。その中で生ごみを冷凍して衛生的に保存することを特徴とする生ごみ保存用冷凍室付冷蔵庫である。
【発明の効果】
【０００５】  生ごみから発生する悪臭、害虫、カビ、雑菌などの発生を防ぎ、ごみ回収日まで住環境を衛生的で快適に保つことができる。
【発明を実施するための最良の形態】
【０００６】  以下、本発明の実施の形態について説明する。
（イ）冷蔵庫（１）に前方へ引出せる扉（５）をつけて、レール（７）をスライドして開閉可能な冷凍室（２）を設ける。
（ロ）冷凍室（２）の中に左右に倒れる持ち手（４）を付けた脱着可能なバスケット（３）を入れる。
本発明は以上のような構造で、これを使用するときは、扉（５）を手前に引いて冷凍室（２）を開ける。ビニール袋に生ごみを入れてしばり、バスケット（３）に投入して冷凍させる。燃やせるごみの回収日に、扉（５）を引いて冷凍室（２）を開け、バスケット（３）の持ち手（４）を上で合わせて持ち運んで、中の冷凍された生ごみをごみ回収袋へ入れる。バスケット（３）を冷凍室（２）に戻して扉（５）を閉める。
【図面の簡単な説明】
【０００７】
【図１】本発明の斜視図
【図２】本発明の側面図
【符号の説明】
【０００８】１  冷蔵庫
２  冷凍室
３  バスケット
４  持ち手
５  扉
６  パッキン
７  レール
【図１】
2009133597.tif 000003
【図２】
2009133597.tif 000004
(57)【要約】      （修正有）【課題】パッドやテンプルあるいはモダンで支持する眼鏡は、顔や頭に必ず接触することになるがこれを接触することなく眼鏡が使用できるようチョーカーやアーム等により保持する機能を持たせる。【解決手段】チョーカー１の左右にアーム２を付けその先端に眼鏡５を付ける。これにより眼鏡を保持する物が顔や頭に接触することが無い。さらにアーム２で眼鏡５を上げたとき目の高さ付近でアーム２の角度を微調整することができるので目と眼鏡の間隔が調整できる。またアーム２の伸縮部３で眼鏡５の高さを適切に調整することができる。【選択図】図１
2009217227.tif 000002
【特許請求の範囲】
【請求項１】
チョーカーを利用して眼鏡を支える。これにより顔や頭髪にそれらを接触させること無く保持できることを特徴とするチョーカー眼鏡。
【請求項２】
バネ効果で首へのホールド性が高いチョーカーの左右に伸縮機構のあるアームを立ててその先端に眼鏡を取り付ける。アームの伸縮機構により目と眼鏡の高さを合わせることができる。
【請求項３】
アームはチョーカー付近に回転軸を形成してあるため回転させることができる。これにより眼鏡を上げて使用し不要時は眼鏡を下げておくことができる。また眼鏡を上げたときに眼鏡レンズと目の間隔が調整できるよう回転軸部にアームの角度を変えてそれを保持することができるノッチ機構を設ける。
【発明の詳細な説明】
【技術分野】
【０００１】  本発明はチョーカーの左右にアームを付けその先端に眼鏡を取り付けたものでありそれにより眼鏡および保持具の何れの部分も顔や頭に接触させることなく眼鏡を保持することができる眼鏡保持具に関するものである。
【背景技術】
【０００２】  従来、眼鏡のほとんどは顔や頭および耳にパッドやテンプルあるいはモダンで支えたり挟んだりして眼鏡を支えている。【０００３】  片手で持てる柄付き眼鏡や単眼鏡を使用することもあるが常に手で持っていなければならない。【０００４】
【特許文献１】  特許公開２００５−１８９７８６
【非特許文献１】  登録実用新案第３０９１０５３
【発明の開示】
【発明が解決しようとする課題】
【０００５】  眼鏡を掛けるとパッドやテンプルあるいはモダンは必ず顔や毛髪に接触する。従って眼鏡を必要とする人は顔パックや毛染め後に養生させている間は眼鏡を掛けることができない。したがってその間テレビを見ることも新聞や本も読むこともできない。【０００６】  片手で持てる柄付き眼鏡や単眼鏡を使用することもあるが片手で持ち続けなければならないため不自由でまた手も疲れる。
【課題を解決するための手段】
【０００７】  ホールド性の高いチョーカーの左右にアームを立ててその先端に眼鏡を取り付ける。また目に対し眼鏡の高さを調整できるようアームには伸縮機構を設ける。【０００８】    アームはチョーカー付近で回転できるよう回転軸を形成する。また使用時に眼鏡を上げたとき目と眼鏡の間隔が調整できるよう回転軸部にアームの角度を変えてそれを保持することができるノッチ機構を設ける。
【発明の効果】
【０００９】  眼鏡はチョーカーとアームで支えているためそれらが顔や頭髪に接触することが無い。したがって顔パックや毛染め後に養生している間はテレビを見たり、新聞や本を読むことができる。【００１０】  アームの回転軸により使用時は眼鏡を上げ、不要時は眼鏡を下げておくことができる。そしてその回転軸と伸縮機構により目と眼鏡の間隔や高さ調整を容易にすることができる。
【発明を実施するための最良の形態】
【００１１】  以下、本発明の実施の形態を図面に基づき詳細に説明する。【００１２】  本発明の第１の実施の形態に係り、図１は全体の外観斜視図、図２は回転軸部の拡大図である。【００１２】  図１は外観斜視図である。図で示すようにチョーカー１の左右に伸縮部３のあるアーム２が付いておりその先端に眼鏡５を付けてある。伸縮部３により眼鏡５の高さを調整することができる。【００１３】  図２は回転軸部４の拡大図である。図で示すように眼鏡５を上げたとき上死点付近でアーム２の角度を微調整することができる。
【実施例】
【００１４】  実施例は発明を実施するための最良の形態で示す。
【産業上の利用可能性】
【００１５】  本発明は医療用として顔面や頭部に怪我をして通常の眼鏡を掛けることが出来ない人も利用できる。
【図面の簡単な説明】
【図１】  本発明の全体の外観斜視図である。
【図２】  図１の回転軸部の拡大図である。
【符号の説明】
【００１６】  １、チョーカー  ２、アーム  ３、伸縮部  ４、回転軸部  ５、眼鏡
【図１】
2009217227.tif 000003
【図２】
2009217227.tif 000004
(57)【要約】      （修正有）【課題】団体活動を管理する責任者に対し、インターネットを利用して組織・団体運営および活動を支援するシステムを提供する。【解決手段】インターネット回線とメール機能を利用して任意の団体活動を支援するサーバソフトにおいて、行事の時刻及び場所の情報が未定の場合であっても、日付の情報のみで参加会員を募ることが出来、後で時刻及び場所の情報を編集、及び会員に自動通知可能であることを特徴とする任意団体活動支援サーバシステム。【選択図】図１
2009217793.tif 000002
【特許請求の範囲】
【請求項１】
インターネット回線とメール機能を利用して任意の団体活動を支援するサーバーソフトにおいて行事の時刻及び場所の情報が未定の場合であっても、日付の情報のみで参加会員を募ることが出来、後で時刻及び場所の情報を編集、及び会員に自動通知可能であることを特徴とした任意団体活動支援サーバープログラム
【発明の詳細な説明】
【技術分野】
【０００１】    本発明は団体活動を管理する監督に対し、インターネットを利用して、組織・団体運営および活動を支援するサーバー用プログラムである。
【背景技術】
【０００２】    本発明は団体活動を管理する監督もしくは責任者と連携して、会員の入会・任意の参加可能人員情報を持った新規行事情報の会員への自動通知・行事リストＷｅｂページの作成・Ｗｅｂページ上で会員からの行事参加意思の通達等を支援するプログラム「ｃｉｒｃｌｅ＿Ｐｒｏ．ｐｌ」において、新規行事を登録する際、日付・時刻・場所の最低３項目について記入する必要があり、後で変更することが出来なかった。
【発明の開示】
【発明が解決しようとする課題】
【０００３】    ソフトボールチームや消防団等を運営する代表者において、前バージョンの任意団体活動支援サーバーソフト「ｃｉｒｃｌｅ＿Ｐｒｏ．ｐｌ」は日付・時刻・場所の３項目入力で登録会員に成型された行事情報通知メール配信と行事リスト及び詳細ページを作成表示し、会員による行事エントリー機能により、参加状況を相互間で共有でき、便利ではあるが、試合組み合わせや行事予定などの取り決め事項などについて、日付だけはとりあえず決まっている場合はよくあることである。そういった場合において日付情報のみで参加不参加を募っておいて細かな時間・場所等は直前の連絡で差し支えない場合、従来の日付・時刻・場所の３項目入力必須、未入力項目時にはエラー表示という仕様では足りない場合がある。
【課題を解決するための手段】
【０００４】    先にフリーソフトとして公開した「ｃｉｒｃｌｅ＿Ｐｒｏ．ｐｌ」において、従来の時刻データに時刻未定コード「９９＊＊」を入力してもらうことにより、従来のユーザーインターフェースそのままで「未定の午前」・「未定の午後」等使い分けを可能にし、後で編集できるように改良した。【０００５】    場所が未定の場合は、入力欄に場所未定コード「未定」を加えることで「開催地未定」「未定の市内」「○○市未定」等と表示させておき後で編集できるように改良した。
【発明の効果】
【０００６】    不確定要素のある行事でも早めに登録することが可能になり、会員のスケジュールの調整がしやすくなり、管理者である代表にとっては行事等の参加人員把握・管理が容易になった。【０００７】    とりあえず日付だけでもわかれば参加・不参加の回答が出来る会員にとって、スケジュールの調整がしやすくなった。【０００８】行事編集時に編集内容はメール配信されるのだが、メールを受け取ることが出来ない状況でもネットカフェ等、Ｗｅｂブラウザ等で行事の中止の確認が容易になった。
【発明を実施するための最良の形態】
【０００９】    サーバー設置者のサーバー上にプログラムを設置してもらう【００１０】    利用したいという任意の団体の代表者に、団体名・代表者・代表者メールアドレス・代表者パスワード・団体パスワード・サークルコメント・会員上限等の情報入力により団体を登録後、会員にも団体パスワードと会員名・会員パスワード・会員メールアドレス等の情報入力で会員登録してもらい行事の通知や出欠の確認や参加状況の把握や交流等に利用してもらう
【図面の簡単な説明】
【００１１】    以下、図面を参照して本発明のプログラムについて説明。【図１】はこの発明の簡単なフロチャートである。
【００１２】
【図２】はインターネットを利用した情報の流れを示した図である。代表者が新規行事をページ上で登録すると全会員にその情報がメールによって送信される。会員は送られたメール等を参照し、ページにアクセスし、任意で行事参加手続きページにアクセスすることにより行事参加状況データーが更新され、更新された行事詳細ページを確認することが出来る。時刻や場所が不確定のまま登録された行事情報を、後で編集して確定情報などを更新したり、中止設定した場合にも、その情報がメールによって送信される。
【００１３】
【図３】は行事詳細表示ページの１例である。希望枠をチェックし、名前と個人識別パスワードを入力することにより行事参加手続きが完了する。後でスケジュールの都合が合わなくなった場合でも、登録解除手続きが用意されている。このページまではアドレスを知っていれば誰でも表示可能であり、好きな選手を応援したいという場合にも有効な情報を得ることが出来る。
【００１４】
【図４】は団体名「ダークインパクト」の管理者ログイン画面の１例である
【００１５】
【図５】は行事（イベント）編集画面の１例である。
【図１】
2009217793.tif 000003
【図２】
2009217793.tif 000004
【図３】
2009217793.tif 000005
【図４】
2009217793.tif 000006
【図５】
2009217793.tif 000007
(57)【要約】【課題】  他のＷｅｂサービス業者のサービスの一部として、自己のＷｅｂサービスを提供する場合、提供の対象となるＷｅｂサービス業者を限定する手段を提供する。【解決手段】  サービス要求が行われる時、利用者に対応するクッキーを送出し、それをサービス要求がある毎に判定することによって、対象となるＷｅｂサービス業者を限定する。【選択図】図１
2009217794.tif 000002
【特許請求の範囲】
【請求項１】
Ｗｅｂサービスを提供するサーバ（以下サーバという）がサービスの一部として利用する、他のアプリケーションサービスが稼動するサーバ（以下ＡＳＰという）において、Ｗｅｂサービスの利用者（以下ユーザという）に対する認証をＡＳＰが行うことなく、サーバを特定するためにＡＳＰに付随する以下の機能を有する事を特徴とする装置。
サーバからユーザの機器を経由して送られる情報により、ＡＳＰの機能を利用することが許諾されたサーバであることを識別し、ＡＳＰに関連するサーバのＷｅｂページを、ユーザの機器を経由してサーバに対し表示要求を返し、同時にユーザの機器に対しこれを識別するクッキーを送付し、この後、このクッキーを認識することによりＡＳＰサービス提供の可否を識別する機能を有する。
【発明の詳細な説明】
【技術分野】
【０００１】  本発明は、Ｗｅｂサービス技術に関し、ＡＳＰサービス提供の可否を判別する技術に関する。
【背景技術】
【０００２】  近年、Ｗｅｂサービス技術の発展に伴い、Ｗｅｂサービス事業者は自社開発のサービスのみではなく、他の事業者のサービスを合せて利用し、サービス内容を充実させることが広く行われるようになっている。
【発明の開示】
【発明が解決しようとする課題】
【０００３】  他の事業者のサーバのサービスを利用するには、そのサービスを利用するためのリンク情報を、何らかの方法でＷｅｂページに記述する必要があるので、第三者がその情報をコピーして自己のＷｅｂページにおいて、同じサービスを提供することを容易に行うことが出来る。
そのため、他のＷｅｂサービスに対してサービスを提供する事業者は、提供を受ける業者を特定することが難しい。ゆえに、元のサービスを提供する事業者に課金するのをあきらめ、広告等を表示するなどして無料のサービスとして提供せざるを得ないか、元のサービス事業者とユーザ情報を共有し、独自にＷｅｂサービスの利用者を認証する必要があり、サービスの利用性を下げたり、運用管理の煩雑性を増すことになる。
【課題を解決するための手段】
【０００４】  Ｗｅｂサービスを提供するサーバ（以下サーバという）がサービスの一部として利用する、他のアプリケーションサービスが稼動するサーバ（以下ＡＳＰという）の機能を利用するＷｅｂページを、Ｗｅｂサービスの利用者（以下ユーザという）に提示する際に、直接ユーザに提示するのではなく、サーバの情報、提示すべきページの情報を、リダイレクトによりＡＳＰに提示する。
ＡＳＰは提示されたサーバの情報をデータベースと照合し、登録されている物かどうか判定した後、ページの情報と組合わせて完全なＵＲＬを構成し、リダイレクトにてユーザに提示し、同時にこのことを識別するクッキーを送信する。
この後、ＡＳＰはユーザよりサービスの要求があった場合、同時に受信されるクッキーを識別して、サービス要求に答えるべきかどうか判定を行い応答する。
【発明の効果】
【０００５】  本発明によれば、ＡＳＰが提供するサービスを、サーバを限定して提示する、ということを容易に行うことができる。
【発明を実施するための最良の形態】
【０００６】  本発明の実施形態について、図面を参照して説明する。
図１のごとき各機器の配置状況において、図２に示す情報の交換により機能を実現する。
本発明の装置は、ＡＳＰに含まれる。
【実施例】
【０００７】  １．ユーザはＷｅｂブラウザを操作し、サーバに対しサービス要求、即ち画面表示要求を送出する。
２．サーバは要求の中にＡＳＰにかかわる物が含まれている場合、直接に画面表示を行うのではなく、自ＩＤ、ページ名を含むパラメータを設定し、ＡＳＰへのリダイレクト要求をユーザのＷｅｂブラウザに返送する。
３．ユーザのＷｅｂブラウザは、該当パラメータをＡＳＰへ送出する。
４．ＡＳＰは自己のデータベースを参照し、有効なＩＤである事を確認し、それを表すクッキーをユーザのＷｅｂブラウザに送出する。
５．またＡＳＰはＩＤ、ページ名より自己のデータベースを参照し、ユーザの画面表示要求に関わるサーバＵＲＬを構成して、リダイレクト要求をユーザのＷｅｂブラウザに返送する。
６．ユーザのＷｅｂブラウザは、該当ＵＲＬをサーバへ送出する。
７．サーバはユーザの要求した画面データを、ユーザのＷｅｂブラウザに送出、表示する。
８．ユーザはＡＳＰの機能要求画面を、クッキーと共にＡＳＰに送出する。ユーザにおいては、サーバの機能とＡＳＰの機能を、別の物として意識することは無く、サーバの機能を利用するのと同じように行われる。
９．ＡＳＰはクッキーを認識し、有効であればサービス要求に応答する。
以下、必要により８〜９を繰り返す。
【産業上の利用可能性】
【０００８】  他のＷｅｂサービス業者に対し、自己のＷｅｂサービスを機能の一部として提供する場合、提供するＷｅｂサービス業者を限定することが出来るため、Ｗｅｂサービス業者に対し課金する等の対価を請求することが出来、産業上の利用を広げることが可能となる。
【図面の簡単な説明】
【０００９】
【図１】    サーバ、ユーザ、ＡＳＰの配置及び、矢印は直接やり取りする情報の経路を示す。
【図２】    お互いにやり取りする情報の、時系列による順番を示す。
【図１】
2009217794.tif 000003
【図２】
2009217794.tif 000004
(57)【要約】【課題】容易に着脱することができる自動車用コーナーポールを提供する。【解決手段】自動車ボディーへの固定手段として吸盤を用いることにより、車体の加工や損傷なしに容易に着脱できる利便性を持たせ、ポール本体に複数の浅い溝を設けた導光性のあるプラスチック棒を用いることで、装着時の長さとかたちを調節することができ、視認性等でも一般的な製品と同様の機能、実用性を持ち、美観上にもメリットのあるコーナーポールを実現する。【選択図】図１
2009292396.tif 000002
【特許請求の範囲】
【請求項１】
本体に導光性、先端に散光性を持ち、長さ調整用の浅い溝を設けたプラスチックの棒と、これを固定するための背部に貫通穴を持つ２個の吸盤からなり、容易に着脱できる自動車用コーナーポール。
【発明の詳細な説明】
【技術分野】
【０００１】
本発明は、着脱容易な自動車用コーナーポールに関するものである。
【背景技術】
【０００２】
一般的に、自動車のコーナーポールは購入時のオプションとして組み込むもので、一度組み込んだ場合は取り外すことはない。
【０００３】
自動車用アクセサリとして、後付のコーナーポールはネジか粘着テープでバンパー等に固定するもので、着脱できるものもあるが、基底部を自動車の車体に固定し、ポール部分のみ取り外す構造になっているものが多い。粘着テープのみで固定する場合は固定する強度が不十分である可能性があるし、ネジを使用する場合は車体に開ける必要がある。粘着テープで固定するタイプのものでも、全体の着脱は可能であるが、その度に粘着力が低下したり、その作業のために車体に損傷を与える可能性もあるので、容易に着脱できるとは言いがたい。
【特許文献１】特開２００６−１３１０２０号公報
【発明の開示】
【発明が解決しようとする課題】
【０００４】
解決しようとする問題点は、コーナーポールを状況に応じて容易に着脱できること、広く異なる形状の車体に対応できること、そして、自動車本体には何の加工あるいは損傷を与えないことである。
【課題を解決するための手段】
【０００５】
本発明は、コーナーポールの車体への取り付けに吸盤を用いることを特徴とする。
【発明の効果】
【０００６】
吸盤を用いることで容易に着脱できる。ネジや両面粘着テープを用いないので車体の加工や損傷の懼れも無い。プラスチックのポールに、その円周方向に浅い溝を数センチ間隔で設けることにより、全体長を適当な長さに容易に破断することができる。これにより、ポールを車体に取り付けた時に、運転席から先端部を視認できるよう長さを調整する。２個の吸盤を、その背部に設けた穴にポールを通すことで組み合わせ、ポールの下半分から下１／３程度の範囲に２個の吸盤を適当に配置することで、車体に吸着させた場合にしっかり固定できる。ポールの上端部に目立つ部分を設けることで、視認性を高めることができる。
【発明を実施するための最良の形態】
【０００７】
ポール本体は１ｍ程度、直径が１ｃｍ以下程度の硬質プラスチックの円柱形の棒で、下半分程度の範囲に数センチ間隔で幅深さともに１ｍｍ程度の浅い溝を設ける。ポールの先端部数センチの範囲は、他の部分と色や素材を異にするなどで、特に目立つ部分を設ける。材質としてはアクリルやポリカーボネート等の耐候性優れたもので、透明あるいは光透過性のあるものを使用する。組み合わせる２個の吸盤は、一般的な市販品にもあるような軟質プラスチックで、背部にポールより若干小さい程度の貫通穴を持つもの。
【０００８】
全体的に透明、あるいはそれに近い素材を用いることで装着したポール本体を目立たなくすることができ、自動車が持つデザイン上の美観を損ねる影響を少なくすることができる。容易に着脱できることで、時と場合により、色や細部のデザインが異なるポールと付け替えるという楽しみ方もできる。
【実施例】
【０００９】
図１は、本発明の実施例の全体図である。  自動車に装着する際に、ポール先端部が運転席から容易に視認できる位置に来るよう、適当な位置の溝で破断することによりポールの全体長を調節する。そして、自動車のヘッドライトに近いコーナー部のボディーの上下２箇所に吸盤を吸着させことにより固定する。
【００１０】
図２はコーナーポールを自動車に装着した例を示す。自動車の左前方のコーナーに取り付けたもので、ポールがヘッドライト付近に位置し、夜間ライトを点灯した場合、光がポール内を反射散乱することでポール本体および先端部の視認性が高まる。自動車の形状が丸みを帯びたものである場合、ヒートガンあるいはヘアードライヤーにより加熱することでポールを曲げ、車体に沿うカーブに変形して装着する。
【図面の簡単な説明】
【００１１】
【図１】コーナーポール全体図
【図２】コーナーポールの自動車への装着例
【符号の説明】
【００１２】
１    ポール本体
２    破断用の溝
３    吸盤
４    キャップ
５    本発明のコーナーポール
【図１】
2009292396.tif 000003
【図２】
2009292396.tif 000004
(57)【要約】      （修正有）【課題】ゴミに宝くじをつけることによって捨てゴミを減らし、さらにゴミの分別、住所名前をかいたラベルを貼らせる効果を高める。【解決手段】住所名前を書くラベルにくじをつける。回収時にバーコード５が付いているラベルから、バーコードリーダーなどで読み込み、当たりかどうかを判断する。【選択図】図２
2009292645.tif 000002
【特許請求の範囲】
【請求項１】
普段ゴミとなってしまうもの、空き缶、包装の袋などのゴミに宝くじをつけることによってゴミの回収率をアップし、さらに街の捨てゴミの減少や、ゴミの分別、住所、名前を書いたラベルをゴミ袋に張らせる効果を狙う発明。
【発明の詳細な説明】
【技術分野】
【０００１】この発明はゴミに対して宝くじをつけることによって街の捨てゴミを減らし、ゴミの分別をさせ、名前住所のラベルを貼って出してもらう効果を狙ったものである。
【背景技術】
【０００２】ゴミを出すことに対して、人のモラルに頼るしかなかった。
【発明の開示】
【発明が解決しようとする課題】
【０００３】捨てゴミを減らし、ゴミの分別をさせ、名前住所の書いたラベルを貼らせる効果がある。
【課題を解決するための手段】
【０００４】ひとつは、空き缶などのゴミにＩＣタグを内蔵させる方法である。ゴミ処理場、あるいはゴミ回収時にセンサーで読み込み当たりがあるかを確認する。【０００５】もうひとつはゴミ袋、あるいはラベルの方にくじ付ける方法。ゴミ袋、ラベルに当たり番号かＩＣタグあるいはバーコードが付いていて当たりかどうかを回収するときに読み込んで判断する。このときもゴミの分別がなされているかで権利の有無が左右される。
【発明の効果】
【０００６】賞金を狙って一般のひとでも街のゴミを拾う可能性がでる。モラルに頼るよりも、賞金を出した方がゴミを分別して出してもらえる効果がでる。住所、名前のラベルを貼らせることによってゴミの所在がわかるようにする
【発明を実施するための最良の形態】
【０００７】ゴミとなる空き缶にＩＣタグをつける。回収車にセンサーをつけて当たりかどうかの判断をする、あるいは回収工場で判断をする。
ラベルにくじが付いている場合はバーコードリーダーで回収する人が回収するときに読み込む。
【図面の簡単な説明】
【０００８】
【図１】空き缶にＩＣタグを内蔵した場合の宝くじの一例。センサーで読み込む。
【図２】ゴミ袋にはるラベルに宝くじをつける場合の一例。
【符号の説明】
【０００９】  １、空き缶
２、ＩＣタグ
３、センサー
４、抽選番号
５、バーコード
【図１】
2009292645.tif 000003
【図２】
2009292645.tif 000004
(57)【要約】【課題】こすっても削れない材質でフィギュアをつくり、それを消しゴムで覆う。見た目は普通の消しゴムだが、使い切ると削れない部分だけがのこってフィギュアが現れる。【解決手段】こすっても削れない材質でフィギュアをつくる。それを普通の消しゴムで覆う。【選択図】図１
2009292140.tif 000002
【特許請求の範囲】
【請求項１】
消しゴムの中にこすっても削れないフィギュアを入れることによって消しゴムを使っていくと最終的にはフィギュアが残るという発明。
【発明の詳細な説明】
【技術分野】
【０００１】こすっても削れない性質の材質（プラスチックなど）でフィギュアを作り、そのフィギュアを消しゴムで包む。消しゴムを使っていくと削れないフィギュアの部分だけが残るというアイデアである。
【背景技術】
【０００２】角をたくさん使えるとか、鉛筆つき消しゴムなどの消しゴムの用途についての発明はあったが、使い切ったときの驚きに関する発明がなかった。
【発明の開示】
【発明が解決しようとする課題】
【０００３】消しゴムを使い切ったときに何か楽しめるようなものがないか考えていた。
【課題を解決するための手段】
【０００４】こすっても削れない材質のものでフィギュアを作り、それを消しゴムで覆う。
【発明の効果】
【０００５】消しゴムを使い切ったときにフィギュアが現れてびっくりさせたり楽しませたりする。
【発明を実施するための最良の形態】
【０００６】こすっても削れず、紙との摩擦力の少ない材質でフィギュアをつくり、それを普通の消しゴムで覆う。最後まで使っても使いずらさを感じさせない形のフィギュアが理想的である。
【図面の簡単な説明】
【０００７】
【図１】本発明を実際に使ったイメージ図である。消しゴムからフィギュアになっていく様を図で表現した。
【図２】本発明をつくる工程である。フィギュアを消しゴムで覆うだけという簡単な仕組みで出来ていることを表現した図である。
【符号の説明】
【０００８】１、買ってきた消しゴムの状態
２、使用していく経過
３、最終形態、
４、こすっても削れない材質（プラスチックなど）のフィギュア
５、消しゴムの中にそれが埋め込まれている
【図１】
2009292140.tif 000003
【図２】
2009292140.tif 000004
(57)【要約】【課題】  本発明は、薄型のコンパクトな箱形容器に多量のポリ袋を簡単に収納し、収納時は外からポリ袋が見えず、ポリ袋を取り出す際は、１枚ずつ容易に取り出しが可能なポリ袋収納具を提供する。【解決手段】  穴の開いた天板の左右に側板を連接し、連接部分は曲折可能とし、側板の天板と接しない３辺の内側に枠体を取り付け、側板を閉じた時に左右の側板に取り付けた枠体が噛み合うようにし、ポリ袋を収納する時は側板のへり部をひっかけ側板を開け、枠体に囲まれた収容部にポリ袋を広げて重ね、中板でポリ袋の半分以上を抑えながら、抑えていない方の側板を閉じ、ポリ袋を取り出す時は穴から取り出すことを特長とするポリ袋収納具。【選択図】図１
2009292538.tif 000002
【特許請求の範囲】
【請求項１】
穴の開いた天板の左右に側板を連接し、連接部分は曲折可能とし、側板の天板と接しない３辺の内側に枠体を取り付け、側板を閉じた時に左右の側板に取り付けた枠体が噛み合うようにし、ポリ袋を収納する時は側板のへり部をひっかけ側板を開け、枠体に囲まれた収容部にポリ袋を広げて重ね、中板でポリ袋の半分以上を抑えながら、抑えていない方の側板を閉じ、ポリ袋を取り出す時は穴から取り出すことを特長とするポリ袋収納具。
【発明の詳細な説明】
【技術分野】
【０００１】  本発明は、レジ袋等のポリ袋を簡単に収納し、また簡単に１枚ずつ取り出すことのできるポリ袋収納具に関するものである。
【背景技術】
【０００２】  従来、レジ袋等のポリ袋は袋や箱の中に丸めて、または整頓して収納され、必要な際はそこから取り出して使用していた。
背板上部にタオル掛け等の引っ掛け棒を固定、引っ掛け棒にポリ袋をつるし、背板の左右についた可動式の板でポリ袋を抑え、上部開口部から１枚ずつ取り出す発明（特許文献１）や、薄型横長長方形の箱の片方の側面に取り付けた開閉自在な収納蓋からポリ袋を畳んで収納し、反対側面の上部に設けた開口部から収納袋を取り出す発明（特許文献２）が開示されている。
【特許文献１】  特許公開２００５−１９９０２３
【特許文献２】  特許公開２００６−５６５９１
【発明の開示】
【発明が解決しようとする課題】
【０００３】従来より、次のような問題点があった。
（イ）ポリ袋は、薄く、軽く、また滑り安い性質のため、きちんと重ねて収納しても、取り出す時等に、その整頓が崩れてしまう。
（ロ）きちんと整頓した状態から、ポリ袋を取り出そうとすると、ポリ袋どうしがくっ付き易く、１枚ずつ取り出しずらい。
（ハ）小さく丸めて収納すると、ふくらんで量がかさみ、見栄えもよくない。
（ニ）畳んで収納するのは手間がかかる。
本発明は以上の問題点を解決しようとするものである。
【問題を解決するための手段】
【０００４】  穴の開いた天板の左右に側板を連接し、連接部分は曲折可能とする。側板の天板が接しない３辺の内側に枠体を取り付け、側板を閉じた時に左右の側板に取り付けた枠体が噛み合うようにする。ポリ袋収納時は側板のへり部をひっかけ側板を開け、枠体に囲まれた収容部にポリ袋を広げて重ねる。中板でポリ袋の半分以上を抑えながら、抑えていない方の側板を閉じる。ポリ袋を取り出す時は穴から取り出す。
以上を特徴とするポリ袋収納具である。
【発明の効果】
【０００５】  本発明は、薄型のコンパクトな箱形容器に多量のポリ袋を簡単に収納することができ、収納時は外からポリ袋が見えない。
またポリ袋を取り出す際は、最後の１枚まで、１枚ずつ容易に取り出すことができる。
【発明を実施するための最良の形態】
【０００６】（イ）長方形状の天板（５）の中央に、ポリ袋（１２）を指でつまんで取り出すのに十分な大きさの細長い穴（６）を設ける。
（ロ）天板（５）の左右に、右側板（８ａ）及び左側板（８ｂ）を連接して設ける。連接部分（７）は曲折可能とする。
（ハ）側板（８）の天板（５）に接しない３辺に、コの字型の枠体（２ａ，２ｂ）を形成する。この時、この枠体（２ａ，２ｂ）の外にへり部（３）を残すように、枠体（２ａ，２ｂ）は側板（８）の内側に形成するが、右枠体（２ａ）と右側板（８ａ）が形成するへり部（３）は、左枠体（２ｂ）と左側板（８ｂ）が形成するへり部（３）より大きくし、両側板（８ａ，８ｂ）を閉じた時に、右枠体（２ａ）は左枠体（２ｂ）の中に納まるようにする。
（ニ）また、両枠体（２ａ，２ｂ）が噛み合い安くするため、左枠体（２ｂ）の両端に切り欠き部（４）を設ける。
（ホ）左右枠体（２ａ，２ｂ）に囲まれた空間は収容部（９）を形成する。
（ヘ）両側板（８ａ，８ｂ）を閉じ収容部（９）に平板状の中板（１０）を収容する。
（ト）両側板（８ａ，８ｂ）を閉じ平面上に立てた際、へり部（３）と平面が接した部分は脚部（１）を形成する。
本発明は、以上の構成よりなっている。
本発明を使用するときは、閉じた側板（８）を、へり部（３）をひっかけ開け、収容部（９）にポリ袋（１２）を広げ、重ねる。右側板（８ａ）にかかるポリ袋（１２）の約半分を中板（１０）で抑え、左側板（８ｂ）を閉じる。側板（８）を閉じた時、中板ふち部（１０ａ）から折曲がったポリ袋の端（１２ａ）が枠体（２ａ，２ｂ）から飛び出さないよう、中板ふち部（１０ａ）は、穴（６）の中心部から左天板、側板連結部（７ａ）までの間に置く。ポリ袋（１２）を取り出す際は、天板（５）についた穴（６）から１枚ずつ取り出す。
【図面の簡単な説明】
【０００７】
【図１】  本発明の斜視図
【図２】  本発明を開いた時の斜視図
【図３】  本発明の断面図
【図４】  本発明の使用状態を示す断面図
【図５】  本発明の使用状態を示す斜視図
【図６】  本発明の使用状態を示す斜視図
【図７】  本発明の使用状態を示す斜視図
【符号の説明】
【０００８】  １      脚部
２      枠板
２ａ    右枠体
２ｂ    左枠体
３      へり部
４      切り欠き部
５      天板
６      穴
７      天板、側板連結部
７ａ    左  天板、側板連結部
８      側板
８ａ    右側板
８ｂ    左側板
９      収容部
１０    中板
１０ａ  中板ふち部
１１    手
１２    ポリ袋
１２ａ  ポリ袋端部
【図１】
2009292538.tif 000003
【図２】
2009292538.tif 000004
【図３】
2009292538.tif 000005
【図４】
2009292538.tif 000006
【図５】
2009292538.tif 000007
【図６】
2009292538.tif 000008
【図７】
2009292538.tif 000009